(57)【要約】【課題】定期搬出ゴミは収集されるまで道路上に置かれるか、ネットで覆われるだけで、カラスや猫に荒らされたり、強風によって飛ばされたりしていた、本発明はカラスや猫によってネットに穴をあけたり、強風によってゴミが飛ばされないようにするゴミ飛散防止具を提供する。【解決手段】２枚の長幅板４枚の短幅板を組み合わせて底と蓋のない折り畳み可能な箱を設ける、箱の蓋としてネットを設け、箱が移動することがないようガードレールに取り外しが可能なように取り付ける、以上の構成よりなるゴミ飛散防止具。【選択図】図２
2016216256.tif 000002
【特許請求の範囲】
【請求項１】
（イ）短幅板（７）と短幅板（８）には蝶番（１３）で取り付けられ折りたためる、短幅板（１７）と短幅板（２０）も同様に蝶番（１９）で取り付けられ折りたためる。長幅板（１２）の端に蝶番（９）で短幅板（８）を取り付け、長幅板（１２）の反対淵に蝶番（２１）で短幅板（２０）を取り付け夫々折りたためる、
（ロ）短幅板（７）と短幅板（１７）の蝶番の取り付けられていない端の上角部にコイル状紐（４）（１５）を設け長幅板（１４）の両端角部に繋ぐ、
（ハ）長幅板（１４）に設けたコイル状紐（４）（１５）の間の面にネット（３）を繋ぎ繋がれていないネット（３）の反対面の両端にボタン留め用環（１）（２）を取り付ける、
（二）長幅板（１２）の外面四隅にネット留め用ボタン（１０）（１１）（２２）（２３）を設ける、ボタン留め用環（１）（２）が掛るようにする、
（ホ）長幅板（１４）の両端と短幅板（７）（１７）の繋いでない端に紐通し穴（５）（６）（１６）（１８）を複数個縦に開け、ガードレール（２５）に固定するための紐（２４）の通り穴とする、以上のように構成されたゴミ飛散防止具。
【発明の詳細な説明】
【０００１】本発明は道路上に於ける定期搬出ゴミを収納するゴミ飛散防止具に関するものである。
【背景技術】
【０００２】従来道路上に於ける定期搬出ゴミは道路上に放置されるか、または大きなネットをゴミに覆いかぶせて、カラス、猫や風の害によるゴミの散乱を防いでいた、ネットの使用後は丸めてガードレールに紐で縛り付けていた。
【先行技術文献】
【特許文献】
【０００３】
【特許文献１】  実用新案登録第３１９２２６４号公報
【発明の概要】
【発明が解決しようとする課題】
【０００４】ネットでゴミを覆うとネットよりはみ出たり、カラス、猫によるネットの引きはがし穴あけ、風などにより散乱していた、またゴミ収集後はネットを丸めて紐でガードレールに縛り付けていた。
本発明は以上の問題を解決する為になされたものである。
【課題を解決する為の手段】
【０００５】（イ）短幅板（７）と短幅板（８）には蝶番（１３）で取り付けられ折りたためる、短幅板（１７）と短幅板（２０）も同様に蝶番（１９）で取り付けられ折りたためる、長幅板（１２）の端に蝶番（９）で短幅板（８）を取り付け、長幅板（１２）の反対淵に蝶番（２１）で短幅板（２０）を取り付け夫々折りたためる、
（ロ）短幅板（７）と短幅板（１７）の蝶番の取り付けられていない端の上角部にコル状紐（４）（１５）を設け長幅板（１４）の両端角部に繋ぐ、
（ハ）長幅板（１４）に設けたコイル状紐（４）（１５）の間の面にネット（３）を繋ぎ、繋がれていないネット（３）の反対面両端にボタン留め用環（１）（２）を取り付ける、
（二）長幅板（１２）の外面四隅にネット留め用ボタン（１０）（１１）（２２）（２３）を設ける、ボタン留め用環（１）（２）が掛るようにする、
（ホ）長幅板（１４）の両端と短幅板（７）（１７）の繋いでいない端に紐通し穴（５）（６）（１６）（１８）を複数個縦に開け、ガードレール（２５）に固定するための紐（２４）の通り穴とする、以上のように構成されたゴミ飛散防止具。
【発明の効果】
【０００６】従来ゴミが散乱し易いゴミ置き場が本発明により、折り畳み自在の箱の中にゴミは収納され、箱の蓋としてネットを被せることにより、カラス、猫の侵入は防がれ、強風が吹いても散乱することがなく使用後は折り畳みして縮め、ネットによって覆われて箱が開かないようにボタンで留めるので場所をとることなく、道路の美化にも役立つものである。
【図面の簡単な説明】
【０００７】
【図１】本発明の斜視図
【図２】本発明の使用時状態を示す斜視図
【図３】本発明の側面図
【図４】本発明の収納状態図
【発明を実施するための形態】
【０００８】  以下、本発明の形態を説明する。
（イ）短幅板（７）と（８）には蝶番（１３）で取り付けられて折りたためる、短幅板（１７）と短板幅（２０）も同様に蝶番（１９）で取り付けられて折りたためる、長幅板（１２）の端に蝶番（９）で短幅板（８）を取り付け、長幅板（１２）の反対端に蝶番（２１）で短幅板（２０）を取り付け夫々折りたためる。
（ロ）短幅板（７）と短幅板（１７）の蝶番の取り付けられていない端の上部角にコイル状紐（４）（１５）を設け長幅板（１４）の両端角部に繋ぐ。
（ハ）長幅板（１４）に設けたコイル状紐（４）（１５）の間の面にネット（３）を繋ぎ、繋がれていないネット（３）の反対面の両端にボタン留め用環（１）（２）を取り付ける。
（ニ）長幅板（１２）の外面四隅にネット留用めボタン（１０）（１１）（２２）（２３）を設け、ボタン留め用環（１）（２）が掛るようにする。
（ホ）長幅板（１４）の両端と短幅板（７）（２０）の繋いでない端に紐通し穴（５）（６）（１６）（１８）を複数個縦に開けて、ガードレール（２５）に固定するための紐（２４）の通り穴とする。
（ヘ）長幅板（１３）（１４）、短幅板（７）（８）（１７）（２０）は硬質プラスチックで網状に形成されると軽量化され取り扱いやすく、ガードレールに固定する時の紐通し穴（５）（６）（１６）（１８）は不要、また形成の段階で蝶番付きの板にすればわざわざ蝶番を取り付ける事もなく、分解も簡単である。
本発明は以上のような構造である。
【０００９】本発明を使用する時は図（３）に示すようにネット（３）のついた長幅板（１４）を車道側に置いて、ガードレール（２５）をまたがせ、長幅板（１４）に開いた紐通し穴（５）と短幅板（７）に開いた紐通し穴（６）を紐（２４）でガードレールを挟んで縛り、長幅板（１４）のもう一方にも短幅板（１７）を同じようにしてガードレールに固定する。本発明の箱を四角に開き、中にゴミ袋（２６）を入れ、蓋としてネット（３）を被せボタン留めよう環（１）をネット止めボタン（２２）にかけ、ボタン留め用環（２）をネット止めボタン（１０）にかけゴミ袋（２６）の収集後は短幅板（７）（８）（１７）（２０）を内側にたたんで、長幅板（１２）をガードレール側に押し付けネット（３）を被せ、ボタン留め用環（１）をネット止め用ボタン（２３）にはめ、ボタン留め用環（２）をネット留め用ボタン（１１）にはめることにより収集後はコンパクトに箱が収納できる。
【００１０】１ボタン留め用環、２ボタン留め用環、３ネット、４コイル状紐、５紐通し穴、６紐通し穴、７短幅板、８短幅板、９蝶番、１０ネット止め用ボタン、１１ネット留め用ボタン、１２長幅板、１３蝶番、１４長幅板、１５コイル状紐、１６紐通し穴、１７短幅板、１８紐通し穴、１９蝶番、２０短幅板、２１蝶番、２２ネット留め用ボタン、２３ネット留め用ボタン、２４紐、２５ガードレール、２６ゴミ袋
【図１】
2016216256.tif 000003
【図２】
2016216256.tif 000004
【図３】
2016216256.tif 000005
【図４】
2016216256.tif 000006